(57)【特許請求の範囲】
【請求項１】
扉の表面に取り付けられる台座に、グレモンの操作軸が露出する貫孔を設け、この貫孔に、前記操作軸に係合する回転子を嵌め入れて抜け止めし、この回転子に、ハンドルが挿入される差込孔と、この差込孔の両側に連通する一対の径方向の長孔とを設け、これら各長孔に、前記ハンドルの両側に形成された弧状の切込に係合可能なピンを挿入すると共に、これらのピンをスプリングにより内方向に付勢し、前記貫孔の周縁に、施錠時に前記ピンの長孔に沿ったスライドを許容する大径部と、解錠時に前記ピンを長孔の内側位置に固定する小径部とを形成したグレモンハンドルの保持装置。
【請求項２】
前記回転子の扉から突出した部分に、回転子に対して相対回転可能なカバーを被せ、このカバーの内部に一対の揺動部材を設け、これらの揺動部材を、カバーの回転に伴い自重により自由端が互いに接近する方向に揺動させ、回転子外周のフランジに係合させて前記カバーを回転子から抜け止めし、また、カバーを回転子に対して回り止めすると共に、前記カバーの外周面に、前記ハンドルの差込孔に連通する挿入孔を形成した請求項１に記載のグレモンハンドルの保持装置。
【発明の詳細な説明】
【０００１】
【発明の属する技術分野】
この発明は、グレモンを操作する着脱式ハンドルの保持装置に関する。
【０００２】
【従来の技術】
従来より、図１０及び図１１に示すようなグレモンの操作部が採用されることがある。この操作部では、扉５０を挟んで対向する一対のハンドル５１、５２のうち、一方のハンドル５１が操作軸５３に対して着脱自在とされている。操作軸５３の断面形状は角形となっており、ハンドル５１の先端部に形成されたボス５４には、操作軸５３に係合可能な係合孔５５と、径方向に突出する一対の突起５６とが設けられている。
【０００３】
また、扉５０のハンドル５１側を向く表面には、操作軸５３の周囲に形成された扉５０の開口縁を隠す化粧プレート５７が取り付けられている。この化粧プレート５７には、操作軸５３が露出する貫孔５８が設けられ、貫孔５８の周縁上下部には一対の切込部５９が形成されている。
【０００４】
ハンドル５１の突起５６は、グレモンが施錠されている時にのみ化粧プレート５７の切込部５９を通過することができ、解錠時にはハンドル５１を着脱することはできない。貫孔５８は、グレモンの操作時以外には、化粧プレート５７の下端部に偏心位置が回動自在に連結されたカバー６０により覆うことができる。
【０００５】
【発明が解決しようとする課題】
しかしながら、上記のようなグレモンの操作部では、ハンドル５１によりグレモンを解錠して室内に入り、反対側のハンドル５２により施錠した場合、図１１に示すようにハンドル５１が傾いて上方の突起５６が切込部５９の側縁に引っ掛かることがあり、このような状態になると、ハンドル５２による解錠操作ができなくなるので、入室者が室内に閉じ込められるという問題があった。
【０００６】
そこで、この発明は、ハンドルを装着した施錠状態において、扉の反対側から解錠不能になることがないグレモンハンドルの保持装置を提供しようとするものである。
【０００７】
【課題を解決するための手段】
上記の課題を解決するため、この発明は、扉の表面に取り付けられる台座に、グレモンの操作軸が露出する貫孔を設け、この貫孔に、前記操作軸に係合する回転子を嵌め入れて抜け止めし、この回転子に、ハンドルが挿入される差込孔と、この差込孔の両側に連通する一対の径方向の長孔とを設け、これら各長孔に、前記ハンドルの両側に形成された弧状の切込に係合可能なピンを挿入すると共に、これらのピンをスプリングにより内方向に付勢し、前記貫孔の周縁に、施錠時に前記ピンの長孔に沿ったスライドを許容する大径部と、解錠時に前記ピンを長孔の内側位置に固定する小径部とを形成したグレモンハンドルの保持装置を提供する。
【０００８】
この保持装置では、施錠状態において、差込孔にハンドルを挿入すると、ハンドルは一対のピンをスプリングの付勢力に抗して外方向に押圧しつつ差込孔内を進行し、ピンとハンドルの切込とが係合したとき、両ピンが内側位置に復帰してハンドルを挟持し、その脱落を防止する。
【０００９】
そして、ハンドルを解錠方向に回転させると、回転子が回転し、それに伴ってピンの外方向へのスライドが貫孔の周縁小径部により規制され、解錠操作時におけるハンドルの差込孔からの抜け出しが防止される。
【００１０】
このように、ハンドルの保持がハンドルと共に回転する回転子のピンで行われるので、ハンドルが扉側の固定部に引っ掛かって回動不能になることがなく、ハンドルを装着した施錠状態において、扉の反対側から確実に解錠することができる。
【００１１】
【発明の実施の形態】
図１及び図２に示すように、この発明に係るグレモンハンドルの保持装置１は、扉２に内蔵されたグレモン本体３の操作軸４を操作する着脱式のハンドル５を保持するものである。このグレモンでは、ハンドル５又は扉２を挟んでこれに対向するハンドル６の操作に伴って、グレモン本体３から上下に延びるロッド７及び側方に突出するデッドボルト８が上下枠及び縦枠の凹所９、１０に対してそれぞれ進退し、これらが係合・離脱することにより施錠・解錠することができる。
【００１２】
前記保持装置１は、図３乃至図８に示すように、台座１１、回転子１２及びカバー１３を備えている。台座１１は扉２の表面にビス止めされ、その中央部には操作軸４が露出する貫孔１４が設けられている。貫孔１４の周縁は、両側部が大径部１５とされ、他の部分が小径部１６とされている。
【００１３】
前記回転子１２の先端面には、操作軸４に係合する係合孔１７が設けられている。係合孔１７は、操作軸４の断面形状が角形であるため、これに対応して角孔となっている。回転子１２の外周には、先端側から後端側へかけてねじ部１８、ボス部１９、本体部２０及びフランジ２１がそれぞれ形成され、本体部２０の外周にはハンドル５が挿入される差込孔２２が、フランジ２１には切欠部２１ａが設けられている。
【００１４】
また、回転子１２には、差込孔２２の両側に連通する一対の径方向の長孔２３が設けられ、各長孔２３には、ハンドル５の両側縁に形成された弧状の切込５ａに係合可能なピン２４が挿入されている。ピン２４は、その周溝２５に嵌められた環状のスプリング２６により内方向に付勢されている。
【００１５】
この回転子１２は、台座１１の貫孔１４に先端側からボス部１９まで挿入され、ねじ部１８にねじ込まれた抜止リング２７と本体部２０の端面とで台座１１を挟むことにより貫孔１４から抜け止めされ、台座１１に対して回転可能となっている。抜止リング２７は、その外周面に打ち込まれた虫ピン２８により回転子１２に対して緩み止めされている。
【００１６】
そして、台座１１に対する回転子１２の回転位相において、ピン２４は、貫孔１４の大径部１５、１５間に位置しているとき、長孔２３に沿ってスライド可能とされ、小径部１６、１６間に位置しているとき、長孔２３の内側位置に固定される。
【００１７】
前記カバー１３は回転子１２に装着され、回転子１２の扉２から突出した部分及び台座１１を被覆する。カバー１３の内周面は、台座１１及び回転子１２に被せたとき、これらに対して相対回転可能な形状とされている。カバー１３の内部には軸２９を介して一対の揺動部材３０、３０が設けられ、両揺動部材３０、３０の自由端は、支持端が下側に位置するとき離反し、上側に位置するとき接近する。カバー１３の内周面には内方向に弾性付勢された爪３１が、外周面にはハンドル５の挿入孔３２がそれぞれ設けられている。
【００１８】
このカバー１３を回転子１２に装着するには、揺動部材３０の支持端を下側に位置させて回転子１２の扉２から突出した部分に嵌め、１８０°回転させる。この回転に伴い、両揺動部材３０、３０は、自重により自由端が互いに接近する方向に揺動し、回転子１２のフランジ２１に係合して、カバー１３が回転子１２から抜け止めされる。また、爪３１がフランジ２１の切欠部２１ａに係合し、カバー１３は回転子１２に対して回り止めされる。この状態において、挿入孔３２は前記差込孔２２に連通する。
【００１９】
上記のような保持装置では、施錠状態において、挿入孔３２を介して差込孔２２にハンドル５を挿入すると、ハンドル５は一対のピン２４、２４をスプリング２６の付勢力に抗して外方向に押圧しつつ差込孔２２内を進行し、ピン２４とハンドル５の切込５ａとが係合したとき、両ピン２４、２４が内側位置に復帰してハンドル５を挟持し、その脱落を防止する。
【００２０】
そして、図９に示すように、ハンドル５を解錠方向に回転させると、回転子１２が回転し、それに伴ってピン２４の外方向へのスライドが貫孔１４の周縁小径部１６により規制され、解錠操作時におけるハンドル５の差込孔２２からの抜け出しが防止される。
【００２１】
このように、ハンドル５の保持がハンドル５と共に回転する回転子１２のピン２４で行われるので、ハンドル５が扉２側の固定部に引っ掛かって回動不能になることがなく、ハンドル５を装着した施錠状態において、反対側のハンドル６により確実に解錠することができる。
【００２２】
また、カバー１３が回転子１２の扉２から突出した部分及び台座１１を覆い、ハンドル５の挿入孔３２は正面側から見えないので、美観に優れたものとなる。
【００２３】
なお、このカバー１３は回転子１２に対して回転させるだけで簡単に装着することができる。
【００２４】
さらに、カバー１３を装着したままグレモンの操作ができるので、図１０に示す従来例においてカバー６０を開閉するような煩わしさもない。
【００２５】
【発明の効果】
以上説明したように、この発明に係る保持装置では、ハンドルの保持がハンドルと共に回転する回転子のピンで行われるので、ハンドルが扉側の固定部に引っ掛かって回動不能になることがなく、ハンドルを装着した施錠状態において、扉の反対側から確実に解錠することができ、入室者が室内に閉じ込められるようなことがない。
【図面の簡単な説明】
【図１】この発明に係るグレモンハンドルの保持装置の使用状態を示す側面図
【図２】同上の正面図
【図３】同上の一部切欠正面図
【図４】図３のIV−IV線に沿った断面図
【図５】図３のＶ−Ｖ線に沿った断面図
【図６】図４のVI−VI線に沿った断面図
【図７】図４の VII−VII 線に沿った断面図
【図８】同上の分解斜視図
【図９】同上の図６における解錠操作状態を示す図
【図１０】従来のグレモン操作部の斜視図
【図１１】同上の側面図
【符号の説明】
１  保持装置
２  扉
３  グレモン本体
４  操作軸
５、６  ハンドル
１１  台座
１２  回転子
１３  カバー
１４  貫孔
１５  大径部
１６  小径部
２１  フランジ
２２  差込孔
２３  長孔
２４  ピン
２６  スプリング
３０  揺動部材
３２  挿入孔
【図１】
0003970980.tif 000002
【図２】
0003970980.tif 000003
【図３】
0003970980.tif 000004
【図４】
0003970980.tif 000005
【図５】
0003970980.tif 000006
【図６】
0003970980.tif 000007
【図７】
0003970980.tif 000008
【図８】
0003970980.tif 000009
【図９】
0003970980.tif 000010
【図１０】
0003970980.tif 000011
【図１１】
0003970980.tif 000012